(57)【特許請求の範囲】
【請求項１】
アッパーと、
ミッドソールと、
このミッドソールの下方に配置されたアウトソールと、
上記ミッドソールとアウトソールとの対向する面それぞれに装着された、相互に着脱可能な面ファスナーとを備えており、
上記ミッドソールと、このミッドソールに装着された面ファスナーとに、排水用の貫通孔が形成されており、
上記アウトソールに装着された面ファスナーには、排水用の貫通孔が形成されていない釣り用履き物。
【請求項２】
上記アウトソールが、ゴムから形成されている請求項１に記載の釣り用履き物。
【請求項３】
上記ミッドソールの上方にインソールが配置されており、このインソールにおける、上記ミッドソールの貫通孔に対応する位置に、排水用の貫通孔が形成されている請求項１又は２に記載の履き物。
【発明の詳細な説明】
【技術分野】
【０００１】
本発明は、釣り人に着用されるブーツ、シューズ等の釣り用履き物に関する。
【背景技術】
【０００２】
釣り用履き物は、アッパー及びアウトソールを備えている。アウトソールは、アッパーの底に設けられている。アウトソールは、その滑り止め効果を期待して、典型的には、ゴム、フェルト等から形成されている。ゴムからなるアウトソールの、岩等の地面との摩擦係数は大きい。このアウトソールは、グリップ性に優れる。このアウトソールにより、ブーツのスリップが防止される。
【０００３】
フェルトからなるアウトソールは、変形能に優れている。このアウトソールは、凹凸のある地面に追従しやすい。フェルトは、吸水性にも優れる。フェルトは、アウトソールと地面との間に水膜を生じさせない。フェルトからなるアウトソールは、滑止性能に優れる。フェルトからなるアウトソールが、特開２００６−２９６６２４公報及び特開２０１０−６９１８４公報に開示されている。ゴムからなるアウトソール、及び、フェルトからなるアウトソールが交換可能な釣り用履き物が特開平６−２５３９０２号公報に開示されている。
【先行技術文献】
【特許文献】
【０００４】
【特許文献１】特開２００６−２９６６２４公報
【特許文献２】特開２０１０−６９１８４公報
【特許文献３】特開平６−２５３９０２号公報
【発明の概要】
【発明が解決しようとする課題】
【０００５】
これらの履き物は、渓流釣り、海釣り等に使用される。釣り人は、ターゲットである魚を求めて釣り場を移動する。釣り人は、これらの履き物を着用した状態で水中に入る場合がある。この場合、履き物の内部に水が侵入して滞留する。海釣りでは、波等の大量の水飛沫がかかる場合がある。このときにも、履き物の内部に海水が侵入する。雨天時の釣りでは、雨水が履き物の内部に侵入する。内部に水が滞留した履き物は、釣り人とって履き心地が悪い。内部に水が滞留すると、履き物の重量が増加する。このような履き物を着用している釣り人は歩きにくい。このような履き物は、その使用後においても乾燥に長時間を要する。
【０００６】
履き物内部の水の排出のために、履き物の底を内外に貫通する排水口を形成することが考えられる。底に貫通孔が形成されると、この貫通孔から、履き物の内部に砂、小石、木片等が侵入するおそれがある。
【０００７】
本発明は、かかる現状に鑑みてなされたものであり、その目的は、一旦内部に水が侵入しても、効果的に排水することのできる釣り用履き物を提供することである。
【課題を解決するための手段】
【０００８】
本発明に係る釣り用履き物は、
アッパーと、
ミッドソールと、
このミッドソールの下方に配置されたアウトソールと、
上記ミッドソールとアウトソールとの対向する面それぞれに装着された、相互に着脱可能な面ファスナーとを備えており、
上記ミッドソールと、このミッドソールに装着された面ファスナーとに、排水用の貫通孔が形成されている。
【０００９】
かかる履き物によれば、その内部に侵入した水は、上記ミッドソールの貫通孔を通ってアウトソールの上面に至る。この水は、相互に接合した面ファスナーのフックとループとが形成する隙間を通って外部に流れ出る。
【００１０】
好ましくは、上記アウトソールが、フェルト及びゴムのいずれか一方から形成されている。
【００１１】
本発明に係る他の釣り用履き物は、
アッパーと、
ミッドソールと、
このミッドソールの下方に配置されたアウトソールとを備えており、
上記ミッドソールに排水用の貫通孔が形成されており、上記アウトソールがフェルトから形成されている。
【００１２】
かかる履き物によれば、その内部に侵入した水は、上記ミッドソールの貫通孔を通ってアウトソールの上面に至る。この水は、フェルトから形成されたアウトソール内部を通って外部に流れ出る。
【００１３】
好ましくは、上記ミッドソールの上方にインソールが配置されており、このインソールにおける、上記ミッドソールの貫通孔に対応する位置に、排水用の貫通孔が形成されている。
【発明の効果】
【００１４】
本発明に係る釣り用履き物では、その面ファスナーのフックとループとが形成する隙間、及び、アウトソールを形成するフェルト自体が排水路を構成しうる。その結果、この履き物の内部に水が一旦侵入しても、効果的に排水されうる。
【図面の簡単な説明】
【００１５】
【図１】図１は、本発明の一実施形態に係る釣り用履き物のアウトサイドを示す側面図である。
【図２】図２は、図１の履き物のソール部を示す断面図である。
【図３】図３は、図１の履き物のミッドソールの下面の面ファスナー部分を示す底面図である。
【図４】図４（ａ）は、図２の履き物の面ファスナが接合している状態を示す、図２のＩＶ部の拡大断面図であり、図４（ｂ）は、図２の履き物の面ファスナが離間している状態を示す断面図である。
【図５】図５は、本発明の他の実施形態に係る釣り用履き物のソール部を示す断面図である。
【図６】図６は、図５のＶＩ部の拡大断面図である。
【発明を実施するための最良の形態】
【００１６】
以下、適宜図面が参照されつつ、好ましい実施形態に基づいて本発明が詳細に説明される。
【００１７】
図１は、本発明の一実施形態に係る釣り用履き物１のアウトサイドを示す側面図であり、図２はそのソール部の断面図である。この履き物１は、アッパー２、ミッドソール３、面ファスナー４、アウトソール５及びインソール６を備えている。上記面ファスナー４は、ミッドソール３とアウトソール５とを着脱可能に接合する。
【００１８】
アッパー２は、本体７、ベロ８、防砂用のフード９、ガード１０及びベルト（紐でもよい）１１を備えている。本体７は布製である。典型的には、本体７にメッシュ状の布が用いられる。本体７は合成樹脂又はゴムから形成されてもよい。ベロ８は本体７と同様の材料からなる。ベロ８がスポンジを含んでもよい。
【００１９】
ミッドソール３はゴム又は合成樹脂を基材とする。典型的な基材は、エチレン−酢酸ビニル共重合体（ＥＶＡ）である。ミッドソール３は、アッパー２の底に取り付けられている。この取付は、接着剤によって達成される。接着剤の基材ポリマーとしては、ポリウレタン、ポリクロロプレン及びアクリロニトリル−ブタジエン共重合体が例示される。ポリウレタンが好ましい。ミッドソール３の外縁には、リブ１２が形成されている。リブ１２は、ミッドソール３の下面より下向きに垂下している。
【００２０】
面ファスナー４はフック面１３とループ面１４とを備えている。フック面１３は、接着剤によってミッドソール３の下面に接着されている。ループ面１４は、接着剤によってアウトソール５の上面に接着されている。フック面１３がアウトソール５に接着され、ループ面１４がミッドソール３に接着されてもよい。典型的な面ファスナー４は、ベルクロ社のマジックテープ（登録商標）である。リブ１２は、面ファスナー４よりも下方にまで延在している。
【００２１】
図２に図３も併せて参照すれば明らかなように、ミッドソール３、及び、このミッドソール３に一体化された面ファスナー４のフック面１３には、排水用に複数個の貫通孔１５が形成されている。貫通孔１５はミッドソール３及びフック面１３を貫通している。履き物１のミッドソール３より上方の内部空間は、面ファスナー４のフック面１３とループ面１４との接合部に連通している。後述するように、フック面１３とループ面１４との接合部は、必然的に、外部に通じる隙間１６となる。
【００２２】
上記貫通孔１５は円形を呈しているが、貫通孔の形状は円形に限定されない。楕円形、多角形等であってもよい。貫通孔１５の個数も限定されない。貫通孔１５は、排水効果の観点から、ミッドソール３の上面のうちの低い位置に形成されるのが好ましい。例えば、着用者の足のボールガースに対応する部分、踵に対応する部分等である。「ボールガース（ｂａｌｌｇｉｒｔｈ）」とは、人の足の親指の付け根と小指の付け根とを結ぶ、幅が最も大きい部分である。
【００２３】
アウトソール５は、面ファスナー４によってミッドソール３に着脱可能に接合される。アウトソール５は交換可能である。図２に示されるように、アウトソール５の周縁の上部は、リブ１２に囲まれている。従って、面ファスナー４の部分もリブ１２に囲まれている。このリブ１２により、アウトソール５のミッドソール３からの意図せぬ離脱が防止される。
【００２４】
図４に示されるように、面ファスナー４のフック面１３は、基材となるシート１３ａの面に、多数の微細なフック片１３ｂが突設されたものである。上記ループ面１４は、基材となるシート１４ａの面に、多数の微細なループ１４ｂが突設されたものである。基材シート１３ａ、１４ａは、アウトソール５の安定した接合の観点から、硬質であるのが好ましい。多数のフック片１３ｂと多数のループ１４ｂとが係合し合って、フック面１３とループ面１４と接合する。従って、多数のフック片１３ｂと多数のループ１４ｂとが存在する両シート１３ａ、１４ａの間は隙間１６となる。
【００２５】
前述のとおり、この隙間１６はミッドソール３の貫通孔１５と連通している。その結果、履き物１の内部に侵入した水は、貫通孔１５及び隙間１６を通って外部に排水される。この履き物１を着用した釣り人が陸地を歩くことにより、履き物１の内部の圧力上昇、及び、足による直接的な押出により、上記排水が加速される。貫通孔１５のみならず、この隙間１６も排水路を構成する。使用後の履き物１の乾燥にも長時間を要しない。
【００２６】
アウトソール５は接地面１７を有する。地面との擦動によって接地面１７が摩耗した場合、アウトソール５がミッドソール３から剥がされる。そして、新たなアウトソール５が面ファスナー４によって接合される。図示されていないが、接地面１７は凹凸模様を備えている。アウトソール５は、ゴム組成物が架橋されることで得られる。ゴム組成物の基材ゴムとしては、ブチルゴム、天然ゴム、ブタジエンゴム、スチレン−ブタジエンゴム及びアクリロニトリル−ブタジエンゴムが例示される。アウトソール５はフェルトから形成されてもよい。
【００２７】
アウトソール５がフェルトから形成されている場合には、アウトソール５に接着されているループ面１４に排水用の開口部が形成されるのが好ましい。この開口部は、上記貫通孔１５に対応する位置に形成される。また、フェルトは通水性を有している。その結果、履き物１の内部に侵入した水は、貫通孔１５、上記開口部及びフェルト内部を通っても、外部に排水されうる。貫通孔１５及び上記隙間１６のみならず、このフェルト層の内部も排水路を構成する。
【００２８】
インソール６は、板状のベース１８と、このベース１８の周縁においてこのベース１８から起立する側壁１９とを有している。ベース１８は、ミッドソール３の上面に載置されている。インソール６は三次元形状を有する。このインソール６は、「カップインソール」と称されている。インソール６は平板状であってもよい。インソール６はポリマー発泡体である。この発泡体の典型的な基材ポリマーは、エチレン−酢酸ビニル共重合体（ＥＶＡ）である。メッシュ状のインソール６が用いられてもよい。
【００２９】
インソール６が上記発泡体のように通水性を有しないものである場合、このインソール６にも排水用の貫通孔２０が形成されるのが好ましい。この貫通孔２０は、上記貫通孔１５に対応する位置に形成される。その結果、履き物１の内部に侵入した水は、両貫通孔１５、２０を通って外部に排水される。このインソール６の貫通孔２０には、これを覆うメッシュが貼着されてもよい。
【００３０】
図５には、他の釣り用履き物２１が示されている。この履き物２１も、アッパー２２、ミッドソール２３、アウトソール２５及びインソール２６を備えている。この履き物２１は面ファスナーを備えていない。アウトソール２５はフェルトから形成されている。このアウトソール２５は、ミッドソール２３の下面に、接着剤によって直接に接着されている。このアウトソール２５の取り替えはなされ得ない。上記接着剤がアウトソール２５の上面からフェルト層にわずかにしみこんで接着剤層３０（図６）が形成されている。
【００３１】
この履き物２１は、さらに、芯板２７及びスペーサ２８を備えている。芯板２７はアッパー２２の底を形成する。図５に示されるように、アッパー２２の下端及びガード１０の下端は折り曲げられている。この折り曲げられた下端が、芯板２７とミッドソール２３とによって挟まれている。スペーサ２８は、芯板２７の下面に貼り付けられている。スペーサ２８は上記下端によって囲まれ、芯板２７とミッドソール２３とによって挟まれている。この履き物２１の、上記以外の構成は、図１から図４に示された履き物１の構成とほぼ同一であるため、詳細な説明は省略される。
【００３２】
ミッドソール２３はゴム又は合成樹脂を基材とする。このミッドソール２３は、厚肉の軟質層２３ａと、薄肉の硬質層２３ｂとが一体に接着されたものである。ミッドソール２３は、軟質層２３ａ及び硬質層２３ｂのいずれか一層のみであってもよい。硬質層２３ｂがミッドソール２３の下面側に配置されている。この硬質層２３ｂの下面にアウトソール２５が接着されている。このミッドソール２３にはリブが形成されていないが、本発明では形成されていてもよい。
【００３３】
ミッドソール２３には排水用凹所２９が形成されている。この排水用凹所２９は、前述の履き物１における貫通孔１５と同等の形状、個数、配置となっている。この排水用凹所２９は、芯板２７、スペーサ２８及びミッドソール２３を貫通している。この排水用凹所２９は、ミッドソール２３に一体化されたアウトソール２５の部分を貫通してはいない。履き物２１の内部に侵入した水は、排水用凹所２９及びアウトソール２５のフェルト内部を通って外部に排水される。使用後の履き物２１の乾燥にも長時間を要しない。
【００３４】
図６に示されるように、上記排水用凹所２９の底部２９ａは、アウトソール２５の上面よりわずかに下方に位置している。排水用凹所２９の底部２９ａはフェルト層にある。排水用凹所２９においては、ミッドソール２３とアウトソール２５とを接着する接着剤層３０は切除されており、存在しない。排水用凹所２９の底部２９ａに接着剤層３０が存在すれば、排水が困難となるからである。図６ではインソール６の図示が省略されている。
【００３５】
ミッドソール２３に上記排水用凹所２９を形成する方法は以下のとおりである。第一の方法は、まず、ミッドソール２３の下面及びアウトソール２５の上面の少なくとも一方に接着剤が塗布される。ミッドソール２３の下面にアウトソール２５が押圧されて接着される。ここで、この接着面に接着剤層３０が形成される。芯板２７とスペーサ２８とには、予め排水用凹所２９に対応する位置に貫通孔が形成されている。ついで、ミッドソール２３に複数個の排水用凹所２９が形成される。その際、穴あけ加工機により、ミッドソール２３の上面から、接着剤層３０よりわずかに下方の位置まで穴あけ加工（トムソン加工等）がなされる。この加工により、平面視円形の範囲で、ミッドソール層と、通水を阻害する接着剤層３０とが切除される。この加工により、排水用凹所２９の底部２９ａにアウトソール２５のフェルト層が露出する。アウトソール２５と一体化され、且つ、排水用凹所２９が形成されたミッドソール２３が、芯板２７及びスペーサ２８とともにアッパー２２に固着される。
【００３６】
第二の方法は、まず、芯板２７、スペーサ２８及びミッドソール２３に、排水用凹所２９となる複数個の貫通孔が形成される。ついで、別体であるアウトソール２５の上面に接着剤が塗布される。接着剤の塗布の前に、アウトソール２５の上面における、上記ミッドソール２３の貫通孔に対応する位置及び範囲に、マスキングが施される。これは、排水用凹所２９の底部２９ａとなるアウトソール２５の上面を、通水を阻害する接着剤層が覆うことを防止するためである。マスクが除去された後、ミッドソール２３の下面にアウトソール２５が押圧されて接着される。このようにして、ミッドソール２３に排水用凹所２９が形成される。排水用凹所２９が形成され、アウトソール２５と一体化されたミッドソール２３が、芯板２７及びスペーサ２８とともにアッパー２２に固着する。
【００３７】
第一の方法は、第二の方向に較べて、マスキング及びマスクの除去という工程が不要であるため、工数が少ないという点で好ましい。さらに、第一の方法は、接着剤層の乾燥時間が短い点においても好ましい。
【００３８】
以上の実施形態は、ベルトを有するシューズを例示している。しかし、本発明は、シューズに限定されず、ブーツ等にも適用可能である。
【産業上の利用可能性】
【００３９】
本発明に係る釣り用履き物は、種々の釣り場において利用されうる。本発明に係る釣り用履き物は、排水効果が良好であるため、特に、履き物の内部に水が入る可能性の高い釣りに便利である。
【符号の説明】
【００４０】
１、２１・・・履き物
２、２２・・・アッパー
３、２３・・・ミッドソール
４・・・面ファスナー
５、２５・・・アウトソール
６、２６・・・インソール
７・・・本体
８・・・ベロ
９・・・防砂フード
１０・・・ガード
１１・・・ベルト
１２・・・リブ
１３・・・フック面
１４・・・ループ面
１５・・・貫通孔
１６・・・隙間
１７・・・接地面
１８・・・ベース
１９・・・側壁
２０・・・貫通孔
２７・・・芯板
２８・・・スペーサ
２９・・・排水用凹所
【図１】
0005912348.tif 000002
【図２】
0005912348.tif 000003
【図３】
0005912348.tif 000004
【図４】
0005912348.tif 000005
【図５】
0005912348.tif 000006
【図６】
0005912348.tif 000007